(57)【要約】【課題】簡易な操作により、複数の文字列の並び順を変更することができる印刷データ生成装置を提供する。【解決手段】テープに対してテープの第１方向に並んで印刷される複数の文字列の並び順の変更を指示する並び順変更選択肢３９が操作されたときに、並び順変更選択肢３９の操作前とは異なる並び順で複数の文字列が第１方向に並んで印刷されるように、印刷データを生成する制御部を備えた。制御部は、並び順変更選択肢３９の操作後、ユーザーの操作に基づいて文字列の属性が指定されたときに、指定後の属性で文字列が印刷されるように、印刷データを生成することが好ましい。【選択図】図７
2020047167.tif 000002
【特許請求の範囲】
【請求項１】
テープに対して前記テープの第１方向に並んで印刷される複数の文字列の並び順の変更を指示する並び順変更指示部が操作されたときに、前記並び順変更指示部の操作前とは異なる並び順で複数の前記文字列が前記第１方向に並んで印刷されるように、印刷データを生成する制御部、を備えたことを特徴とする印刷データ生成装置。
【請求項２】
前記制御部は、前記並び順変更指示部が操作されたときに、前記第１方向における複数の前記文字列の並び順を、前記並び順変更指示部の操作前と逆転させた印刷データを生成することを特徴とする請求項１に記載の印刷データ生成装置。
【請求項３】
前記制御部は、前記並び順変更指示部の操作後、ユーザーの操作に基づいて前記文字列の属性が指定されたときに、指定後の前記属性で前記文字列が印刷されるように、前記印刷データを生成することを特徴とする請求項１または２に記載の印刷データ生成装置。
【請求項４】
前記制御部は、ユーザーの操作に基づいて前記文字列の属性が指定された後、前記並び順変更指示部が操作されたときに、前記文字列が、同じ前記文字列について並び順の変更前に指定された前記属性で印刷されるように、前記印刷データを生成することを特徴とする請求項１ないし３のいずれか一項に記載の印刷データ生成装置。
【請求項５】
前記制御部は、ユーザーの操作に基づいて前記文字列の属性が指定された後、前記並び順変更指示部が操作されたときに、並び順の変更後におけるｎ番目（ｎは１以上の整数）の前記文字列が、並び順の変更前におけるｎ番目の前記文字列について指定された前記属性で印刷されるように、前記印刷データを生成することを特徴とする請求項１ないし３のいずれか一項に記載の印刷データ生成装置。
【請求項６】
前記制御部は、ユーザーの操作に基づいて、前記並び順変更指示部を表示部に表示させることを特徴とする請求項１ないし５のいずれか一項に記載の印刷データ生成装置。
【請求項７】
前記第１方向は、前記テープの幅方向であることを特徴とする請求項１ないし６のいずれか一項に記載の印刷データ生成装置。
【請求項８】
前記第１方向は、前記テープの長さ方向であることを特徴とする請求項１ないし６のいずれか一項に記載の印刷データ生成装置。
【請求項９】
前記制御部は、電気設備に用いられる配線の一方の端部に設けられる第１ラベルを印刷するための前記印刷データを、前記並び順変更指示部の操作前に生成し、前記配線の他方の端部に設けられる第２ラベルを印刷するための前記印刷データを、前記並び順変更指示部の操作後に生成することを特徴とする請求項１ないし８のいずれか一項に記載の印刷データ生成装置。
【請求項１０】
前記電気設備は、鉄道用の電気信号設備であることを特徴とする請求項９に記載の印刷データ生成装置。
【請求項１１】
テープに対して前記テープの第１方向に並んで印刷される複数の文字列の並び順の変更を指示する並び順変更指示部が操作されたときに、前記並び順変更指示部の操作前とは異なる並び順で複数の前記文字列が前記第１方向に並んで印刷されるように、印刷データを生成する
ことを特徴とする印刷データ生成装置の印刷データ生成方法。
【請求項１２】
印刷データ生成装置が備えるコンピューターを、
テープに対して前記テープの第１方向に並んで印刷される複数の文字列の並び順の変更を指示する並び順変更指示部が操作されたときに、前記並び順変更指示部の操作前とは異なる並び順で複数の前記文字列が前記第１方向に並んで印刷されるように、印刷データを生成する制御部
として機能させることを特徴とするプログラム。
【請求項１３】
テープに対して前記テープの第１方向に並んで印刷される複数の文字列の並び順の変更を指示する並び順変更指示部が操作されたときに、前記並び順変更指示部の操作前とは異なる並び順で複数の前記文字列が前記第１方向に並んで印刷されるように、印刷データを生成する制御部と、
前記印刷データに基づいて、前記テープに印刷を行う印刷部と、
を備えたことを特徴とするテープ印刷装置。
【請求項１４】
テープに対して前記テープの第１方向に並んで印刷される複数の文字列の並び順の変更を指示する並び順変更指示部が操作されたときに、前記並び順変更指示部の操作前とは異なる並び順で複数の前記文字列が前記第１方向に並んで印刷されるように、印刷データを生成する制御部、を有する印刷データ生成装置と、
前記印刷データに基づいて、前記テープに印刷を行う印刷部、を有するテープ印刷装置と、
を備えたことを特徴とするテープ印刷システム。
【発明の詳細な説明】
【技術分野】
【０００１】
本発明は、テープ印刷のための印刷データを生成する印刷データ生成装置、印刷データ生成装置の印刷データ生成方法、プログラム、テープ印刷装置およびテープ印刷システムに関するものである。
【背景技術】
【０００２】
従来、特許文献１が開示するように、ユーザーが、印字ラベルの上段に対応するデータベースフィールド欄およびレコードオフセット欄にそれぞれ入力するフィールド名称およびオフセット値と、印字ラベルの下段に対応するデータベースフィールド欄およびレコードオフセット欄にそれぞれ入力するフィールド名称およびオフセット値と、を入れ替えることで、複数の印字の並び順を変更することができるラベルプリンターが知られている。
【先行技術文献】
【特許文献】
【０００３】
【特許文献１】特開２０１４−２２９１５５号公報
【発明の概要】
【発明が解決しようとする課題】
【０００４】
このように、従来のラベルプリンターでは、複数の印字の並び順を変更するために、複数のデータベースフィールド欄および複数のレコードオフセット欄に対して、一つ一つフィールド名称およびオフセット値を入力する必要がある。このため、ユーザーが煩雑な操作をしなければならないという課題がある。
【課題を解決するための手段】
【０００５】
本発明の印刷データ生成装置は、テープに対してテープの第１方向に並んで印刷される複数の文字列の並び順の変更を指示する並び順変更指示部が操作されたときに、並び順変更指示部の操作前とは異なる並び順で複数の文字列が第１方向に並んで印刷されるように、印刷データを生成する制御部、を備えた。
【０００６】
本発明の印刷データ生成装置の印刷データ生成方法は、テープに対してテープの第１方向に並んで印刷される複数の文字列の並び順の変更を指示する並び順変更指示部が操作されたときに、並び順変更指示部の操作前とは異なる並び順で複数の文字列が第１方向に並んで印刷されるように、印刷データを生成する。
【０００７】
本発明のプログラムは、印刷データ生成装置が備えるコンピューターを、テープに対してテープの第１方向に並んで印刷される複数の文字列の並び順の変更を指示する並び順変更指示部が操作されたときに、並び順変更指示部の操作前とは異なる並び順で複数の文字列が第１方向に並んで印刷されるように、印刷データを生成する制御部として機能させる。
【０００８】
本発明のテープ印刷装置は、テープに対してテープの第１方向に並んで印刷される複数の文字列の並び順の変更を指示する並び順変更指示部が操作されたときに、並び順変更指示部の操作前とは異なる並び順で複数の文字列が第１方向に並んで印刷されるように、印刷データを生成する制御部と、印刷データに基づいて、テープに印刷を行う印刷部と、を備えた。
【０００９】
本発明のテープ印刷システムは、テープに対してテープの第１方向に並んで印刷される複数の文字列の並び順の変更を指示する並び順変更指示部が操作されたときに、並び順変更指示部の操作前とは異なる並び順で複数の文字列が第１方向に並んで印刷されるように、印刷データを生成する制御部、を有する印刷データ生成装置と、印刷データに基づいて、テープに印刷を行う印刷部、を有するテープ印刷装置と、を備えた。
【図面の簡単な説明】
【００１０】
【図１】ハンディプリンターの外観図である。
【図２】ハンディプリンターの制御系を示すブロック図である。
【図３】第１電気信号設備を示す図である。
【図４】第１電気信号設備に用いられる第１ラベルおよび第２ラベルを示す図である。
【図５】ハンディプリンターを用いて第１ラベルおよび第２ラベルを作成する操作手順の第１実施例を示すフローチャートである。
【図６】入力編集画面を示す図である。
【図７】編集メニュー画面を示す図である。
【図８】並び順変更選択肢の選択後における入力編集画面を示す図である。
【図９Ａ】ハンディプリンターを用いて第１ラベルおよび第２ラベルを作成する操作手順の第２実施例を示すフローチャートである。
【図９Ｂ】第２実施例の操作手順により作成された第１ラベルおよび第２ラベルを示す図である。
【図１０】文字サイズ指定画面を示す図である。
【図１１Ａ】ハンディプリンターを用いて第１ラベルおよび第２ラベルを作成する操作手順の第３実施例を示すフローチャートである。
【図１１Ｂ】第３実施例の操作手順により作成された第１ラベルおよび第２ラベルを示す図である。
【図１２Ａ】ハンディプリンターを用いて第１ラベルおよび第２ラベルを作成する操作手順の第４実施例を示すフローチャートである。
【図１２Ｂ】第４実施例の操作手順により作成された第１ラベルおよび第２ラベルを示す図である。
【図１３】第４実施例の操作手順により作成された第１ラベルおよび第２ラベルの変形例を示す図である。
【図１４】テープ印刷システムを構成するスマートデバイスおよびテーププリンターの外観図である。
【図１５】スマートデバイスおよびテーププリンターの制御系を示すブロック図である。
【図１６】第２電気信号設備を示す図である。
【図１７】第２電気信号設備に用いられる第１ラベルおよび第２ラベルを示す図である。
【図１８】テープ印刷システムを用いて第１ラベルおよび第２ラベルを作成する操作手順を示すフローチャートである。
【図１９】端子入力画面を示す図である。
【図２０】並び順変更ボタンの操作後における端子入力画面を示す図である。
【発明を実施するための形態】
【００１１】
（印刷データ生成装置およびテープ印刷装置）
以下、添付の図面を参照して、印刷データ生成装置およびテープ印刷装置の一実施形態であるハンディプリンター１について説明する。
図１に示すように、ハンディプリンター１は、装置ケース３と、複数の操作キー５と、カートリッジカバー７とを備えている。
【００１２】
装置ケース３は、ユーザーが保持しやすいように、長手方向の略中間部がくびれた縦長形状を有している。すなわち、ハンディプリンター１は、片手で保持された状態で使用可能な、いわゆるハンドヘルド機である。装置ケース３の長手方向の一方の端部には、把持部９が設けられている。把持部９は、ハンディプリンター１が持ち運びされる際に、把持される箇所である。
【００１３】
複数の操作キー５には、文字キー１１、編集キー１３、カーソルキー１５、決定キー１７、印刷キー１９などが含まれる。文字キー１１は、印刷される文字を入力するためのものである。なお、文字とは、平仮名、片仮名、漢字、ローマ字、数字、記号および絵文字などを含む概念である。編集キー１３は、文字キー１１により入力された文字に対して、文字サイズの変更等の各種編集を行うためのものである。カーソルキー１５は、カーソルを移動させたり、各種選択肢を選択したりするためのものである。決定キー１７は、選択肢を決定するためのものである。印刷キー１９は、印刷実行を指示するためのものである。
【００１４】
カートリッジカバー７は、装置ケース３に設けられたカートリッジ装着部２１を開閉する。カートリッジカバー７の外面には、ディスプレー２３が設けられている。ディスプレー２３は、操作キー５により入力された入力情報、各種メッセージなどを表示する。なお、ディスプレー２３は、表示部の一例である。
【００１５】
カートリッジ装着部２１には、テープカートリッジ（図示省略）が着脱可能に装着される。また、カートリッジ装着部２１には、サーマルヘッド２５が設けられている。ハンディプリンター１は、操作キー５に対する入力・編集操作に基づいて、印刷データを生成し、生成した印刷データに基づいて、送りモーター２７（図２参照）およびサーマルヘッド２５を駆動する。これにより、テープカートリッジからテープＴが繰り出され、入力情報に基づく文字列Ｃ（図４参照）がテープＴに印刷される。
【００１６】
印刷が行われたテープＴは、装置ケース３の一側面に設けられたテープ排出口２９から排出される。カートリッジ装着部２１とテープ排出口２９との間には、カッター（図示省略）が設けられている。カッターは、カッターモーター３１（図２参照）を駆動源として、テープＴをテープＴの幅方向に切断する。これにより、テープＴの印刷済み部分が切り離され、ラベルＬ（図４参照）となる。
【００１７】
図２に示すように、ハンディプリンター１は、プリンター制御部３３を備えている。プリンター制御部３３は、ハンディプリンター１全体を統括的に制御する。プリンター制御部３３は、図示省略したが、ＣＰＵ（Central Processing Unit）と、ＲＡＭ（Random Access Memory）と、ＲＯＭ（Read Only Memory）と、ＣＧＲＯＭ（Character Generator ROM）とを備えている。ＣＰＵは、ＲＯＭに記憶された各種プログラムを、ＲＡＭを用いて実行する。ＣＧＲＯＭは、テープＴに印刷される文字のドットパターンデータを記憶している。なお、プリンター制御部３３は、制御部として機能するコンピューターの一例である。
【００１８】
図３に基づいて、ハンディプリンター１により作成されたラベルＬが用いられる鉄道用の電気信号設備の一例である、第１電気信号設備１０１について説明する。
【００１９】
第１電気信号設備１０１は、始端側接続部１０３と、中継接続部１０５と、終端側接続部１０７とを備えている。始端側接続部１０３および終端側接続部１０７は、壁１０９を隔てて設けられており、中継接続部１０５は、壁１０９を貫通するようにして壁１０９に設けられている。
【００２０】
始端側接続部１０３には、複数の始端側端子１１１が設けられており、各始端側端子１１１には、複数の始端側端子１１１間で異なる端子番号が振られている。同様に、中継接続部１０５には、複数の中継端子１１３が設けられており、各中継端子１１３には、複数の中継端子１１３間で異なる端子番号が振られている。終端側接続部１０７には、複数の終端側端子１１５が設けられており、各終端側端子１１５には、複数の終端側端子１１５間で異なる端子番号が振られている。
【００２１】
始端側端子１１１は、配線の一例であるケーブル１１７により、対応する中継端子１１３と接続されている。また、中継端子１１３は、ケーブル１１７により、対応する終端側端子１１５と接続されている。例えば、端子番号が「ＣＡ２７Ｔ」の始端側端子１１１は、ケーブル１１７により、端子番号が「ＮＧＦＴ１」の中継端子１１３と接続されている。また、端子番号が「ＮＧＦＴ１」の中継端子１１３は、ケーブル１１７により、端子番号が「ＳＥＡＲ  Ｊ７−１５」の終端側端子１１５と接続されている。
【００２２】
ケーブル１１７の始端側端子１１１側の端部には、第１ラベルＬ１が設けられており、ケーブル１１７の終端側端子１１５側の端部には、第２ラベルＬ２が設けられている。なお、ケーブル１１７に第１ラベルＬ１を設ける方法としては、例えば、チューブ状のテープＴから作成されたものに、ケーブル１１７を挿通してもよく、帯状のテープＴから作成されたものを、ケーブル１１７に巻き付けてもよい。ケーブル１１７に第２ラベルＬ２を設ける方法についても、同様である。
【００２３】
図４に示すように、第１ラベルＬ１および第２ラベルＬ２には、始端側文字列Ｃ１と、中継文字列Ｃ２と、終端側文字列Ｃ３とが、テープＴの幅方向に並んで印刷されている。これらの始端側文字列Ｃ１、中継文字列Ｃ２および終端側文字列Ｃ３は、互いに接続される始端側端子１１１、中継端子１１３および終端側端子１１５のそれぞれの端子番号を表している。
【００２４】
なお、第１ラベルＬ１に対し、第１ラベルＬ１が設けられるケーブル１１７が接続される始端側端子１１１の端子番号を表す始端側文字列Ｃ１だけでなく、中継文字列Ｃ２および終端側文字列Ｃ３が印刷されているのは、例えば以下の理由による。すなわち、始端側端子１１１と終端側端子１１５との接続テストにおいて、始端側接続部１０３側にいる作業者Ａが第１ラベルＬ１に印刷されている始端側文字列Ｃ１を読み上げ、終端側接続部１０７側にいる作業者Ｂがそれを聞いた際に、作業者Ｂが第２ラベルＬ２を見ることで、読み上げられた始端側文字列Ｃ１が表す端子番号に対応する中継端子１１３や終端側端子１１５の端子番号を、認識することができるようにするためである。第２ラベルＬ２に対し、終端側文字列Ｃ３だけでなく、中継文字列Ｃ２および始端側文字列Ｃ１が印刷されている理由についても同様である。
【００２５】
ここで、第１ラベルＬ１では、１行目に始端側文字列Ｃ１が印刷され、２行目に中継文字列Ｃ２が印刷され、３行目に終端側文字列Ｃ３が印刷されている。一方、第２ラベルＬ２では、１行目に終端側文字列Ｃ３が印刷され、２行目に中継文字列Ｃ２が印刷され、３行目に始端側文字列Ｃ１が印刷されている。すなわち、第１ラベルＬ１と第２ラベルＬ２とでは、テープＴの幅方向において、始端側文字列Ｃ１、中継文字列Ｃ２および終端側文字列Ｃ３の並び順が逆になっている。第１ラベルＬ１では１行目に始端側文字列Ｃ１が印刷されているのは、第１ラベルＬ１はケーブル１１７の始端側端子１１１側の端部に設けられることから、第１ラベルＬ１では、始端側文字列Ｃ１のほうが、終端側文字列Ｃ３よりも重要な情報であるためである。同様に、第２ラベルＬ２では１行目に終端側文字列Ｃ３が印刷されているのは、第２ラベルＬ２はケーブル１１７の終端側端子１１５側の端部に設けられることから、第２ラベルＬ２では、終端側文字列Ｃ３のほうが、始端側文字列Ｃ１よりも重要な情報であるためである。
【００２６】
図６ないし図８を参照しつつ、図５に基づいて、ユーザーがハンディプリンター１を用いて第１ラベルＬ１および第２ラベルＬ２を作成する操作手順の第１実施例について説明する。
【００２７】
ユーザーは、ステップＳ１０において、テープＴに印刷する情報を入力する。すなわち、ユーザーは、図６に示すように、ディスプレー２３に入力編集画面Ｄ１が表示された状態で、文字キー１１等を操作して、所望の情報を入力する。入力編集画面Ｄ１には、行頭マーク３５が表示されている。行頭マーク３５は、行頭マーク３５に続けて入力された入力情報が、テープＴの何行目に印刷されるかを示すものである。ユーザーは、１行目の行頭マーク３５に続けて始端側端子１１１の端子番号を入力し、２行目の行頭マーク３５に続けて中継端子１１３の端子番号を入力し、３行目の行頭マーク３５に続けて終端側端子１１５の端子番号を入力する。これにより、入力編集画面Ｄ１には、１行目に始端側端子１１１の端子番号を表す始端側表示情報Ｇ１が表示され、２行目に中継端子１１３の端子番号を表す中継表示情報Ｇ２が表示され、３行目に終端側端子１１５の端子番号を表す終端側表示情報Ｇ３が表示される。
【００２８】
ユーザーは、ステップＳ２０において、印刷キー１９を操作して、印刷実行を指示する。プリンター制御部３３は、入力編集画面Ｄ１において入力された入力情報に対応する３つの文字列Ｃ、すなわち始端側文字列Ｃ１、中継文字列Ｃ２および終端側文字列Ｃ３が、テープＴの幅方向に並んで印刷されるように、印刷データを生成する。すなわち、プリンター制御部３３は、１行目に始端側文字列Ｃ１が印刷され、２行目に中継文字列Ｃ２が印刷され、３行目に終端側文字列Ｃ３が印刷されるように、印刷データを生成する。また、プリンター制御部３３は、各文字列Ｃが、行数に応じた文字サイズで印刷されるように、印刷データを生成する。これにより、図４に示した第１ラベルＬ１が作成される。
【００２９】
ユーザーは、ステップＳ３０において、編集キー１３を操作して、図７に示すように、編集メニュー画面Ｄ２をディスプレー２３に表示させた後、カーソルキー１５および決定キー１７を操作して、編集メニュー画面Ｄ２に表示された複数の選択肢のなかから並び順変更選択肢３９を選択する。並び順変更選択肢３９は、テープＴの幅方向における複数の文字列Ｃの並び順が逆になるように、複数の文字列Ｃを入れ替えるためのものである。すなわち、並び順変更選択肢３９は、並び順変更指示部の一例である。上述の通り、ユーザーは並び順変更選択肢３９を、編集メニュー画面Ｄ２に表示された複数の選択肢のなかから選択する。換言すると、並び順変更指示は、印刷データの編集機能の一つである。
【００３０】
並び順変更選択肢３９が選択されると、図８に示すように、入力編集画面Ｄ１が再びディスプレー２３に表示され、入力編集画面Ｄ１には、並び順変更選択肢３９の選択前とは異なる並び順で、複数の表示情報Ｇが表示される。すなわち、入力編集画面Ｄ１には、１行目に終端側表示情報Ｇ３が表示され、２行目に中継表示情報Ｇ２が表示され、３行目に始端側表示情報Ｇ１が表示される。
【００３１】
ユーザーは、ステップＳ４０において、印刷キー１９を操作して、印刷実行を指示する。プリンター制御部３３は、並び順変更選択肢３９の選択前とは異なる並び順で、３つの文字列Ｃ、すなわち始端側文字列Ｃ１、中継文字列Ｃ２および終端側文字列Ｃ３がテープＴの幅方向に並んで印刷されるように、印刷データを生成する。すなわち、プリンター制御部３３は、１行目に終端側文字列Ｃ３が印刷され、２行目に中継文字列Ｃ２が印刷され、３行目に始端側文字列Ｃ１が印刷されるように、印刷データを生成する。また、プリンター制御部３３は、各文字列Ｃが、行数に応じた文字サイズで印刷されるように、印刷データを生成する。これにより、図４に示した第２ラベルＬ２が作成される。なお、第１ラベルＬ１および第２ラベルＬ２を作成する際、それぞれ個別に印刷キー１９を操作する操作手順としたが、本発明は、これに限らない。図５におけるステップＳ２０を省略し、ステップＳ３０の並び順変更選択肢３９を選択した後、ステップＳ４０において、印刷キー１９を１回操作することで、第１ラベルＬ１および第２ラベルＬ２を連続して作成する操作手順としてもよい。
【００３２】
図９Ａに基づいて、第１ラベルＬ１および第２ラベルＬ２を作成する操作手順の第２実施例について説明する。図９Ｂには、第２実施例の操作手順により作成された第１ラベルＬ１および第２ラベルＬ２の一例を示す。
【００３３】
第２実施例の操作手順では、ユーザーが、ステップＳ１０の後、ステップＳ２０の前に、ステップＳ１５として、文字列Ｃの文字サイズを指定し、また、ステップＳ３０の後、ステップＳ４０の前に、ステップＳ３５として、文字列Ｃの文字サイズを指定する点で、第１実施例の操作手順と相違する。
【００３４】
ユーザーは、ステップＳ１５において、編集キー１３を操作して、図７に示したように、編集メニュー画面Ｄ２をディスプレー２３に表示させた後、カーソルキー１５および決定キー１７を操作して、編集メニュー画面Ｄ２に表示された複数の選択肢のなかから文字サイズ選択肢３７を選択する。文字サイズ選択肢３７が選択されると、ディスプレー２３には、図１０に示すように、文字サイズ指定画面Ｄ３が表示される。文字サイズ指定画面Ｄ３では、ユーザーは、カーソルキー１５および決定キー１７を操作して、行ごとに、例えば、「極小」、「小」、「中」、「大」および「特大」の５段階に、文字列Ｃの文字サイズを指定することができる。ユーザーは、ステップＳ３５においても、同様にして、文字列Ｃの文字サイズを指定する。
【００３５】
例えば、ステップＳ１５では、１行目の始端側文字列Ｃ１の文字サイズが「大」に指定され、２行目の中継文字列Ｃ２の文字サイズが「小」に指定され、３行目の終端側文字列Ｃ３の文字サイズが「小」に指定されたものとする。また、ステップＳ３５では、１行目の終端側文字列Ｃ３の文字サイズが「大」に指定され、２行目の中継文字列Ｃ２の文字サイズが「小」に指定され、３行目の始端側文字列Ｃ１の文字サイズが「小」に指定されたものとする。
【００３６】
この場合、プリンター制御部３３は、ステップＳ２０の印刷実行指示が行われると、１行目の始端側文字列Ｃ１が文字サイズ「大」で印刷され、２行目の中継文字列Ｃ２が文字サイズ「小」で印刷され、３行目の終端側文字列Ｃ３が文字サイズ「小」で印刷されるように、印刷データを生成する。これにより、図９Ｂに示した第１ラベルＬ１が作成される。また、プリンター制御部３３は、ステップＳ４０の印刷実行指示が行われると、１行目の終端側文字列Ｃ３が文字サイズ「大」で印刷され、２行目の中継文字列Ｃ２が文字サイズ「小」で印刷され、３行目の始端側文字列Ｃ１が文字サイズ「小」で印刷されるように、印刷データを生成する。これにより、図９Ｂに示した第２ラベルＬ２が作成される。ここで、上述したように、並び順変更指示は、印刷データの編集機能の一つである。すなわち、並び順変更指示は、文字サイズ指定を含む、他の印刷データ編集機能と併用することができる。また、文字列Ｃの文字サイズは、後述する、「文字列Ｃの属性」の一つである。
【００３７】
図１１Ａに基づいて、第１ラベルＬ１および第２ラベルＬ２を作成する操作手順の第３実施例について説明する。図１１Ｂには、第３実施例の操作手順により作成された第１ラベルＬ１および第２ラベルＬ２の一例を示す。
【００３８】
第３実施例の操作手順では、ユーザーが、ステップＳ３０の後、ステップＳ４０の前に、ステップＳ３５として、文字列Ｃの文字サイズを指定する点で、第１実施例の操作手順と相違する。なお、ユーザーは、ステップＳ１０の後、ステップＳ２０の前には、文字列Ｃの文字サイズを指定しない。ステップＳ３５では、第２実施例と同様に、１行目の終端側文字列Ｃ３の文字サイズが「大」に指定され、２行目の中継文字列Ｃ２の文字サイズが「小」に指定され、３行目の始端側文字列Ｃ１の文字サイズが「小」に指定されたものとする。
【００３９】
この場合、プリンター制御部３３は、ステップＳ２０の印刷実行指示が行われると、各文字列Ｃが、行数に応じた文字サイズで印刷されるように、印刷データを生成する。これにより、図１１Ｂに示した第１ラベルＬ１が作成される。また、プリンター制御部３３は、ステップＳ４０の印刷実行指示が行われると、１行目の終端側文字列Ｃ３が文字サイズ「大」で印刷され、２行目の中継文字列Ｃ２が文字サイズ「小」で印刷され、３行目の始端側文字列Ｃ１が文字サイズ「小」で印刷されるように、印刷データを生成する。これにより、図１１Ｂに示した第２ラベルＬ２が作成される。
【００４０】
図１２Ａに基づいて、第１ラベルＬ１および第２ラベルＬ２を作成する操作手順の第４実施例について説明する。図１２Ｂには、第４実施例の操作手順により作成された第１ラベルＬ１および第２ラベルＬ２の一例を示す。
【００４１】
第４実施例の操作手順では、ユーザーが、ステップＳ１０の後、ステップＳ２０の前に、ステップＳ１５として、文字列Ｃの文字サイズを指定する点で、第１実施例の操作手順と相違する。なお、ユーザーは、ステップＳ３０の後、ステップＳ４０の前には、文字列Ｃの文字サイズを指定しない。ステップＳ１５では、第２実施例と同様に、１行目の始端側文字列Ｃ１の文字サイズが「大」に指定され、２行目の中継文字列Ｃ２の文字サイズが「小」に指定され、３行目の終端側文字列Ｃ３の文字サイズが「小」に指定されたものとする。
【００４２】
この場合、プリンター制御部３３は、ステップＳ２０の印刷実行指示が行われると、１行目の始端側文字列Ｃ１が文字サイズ「大」で印刷され、２行目の中継文字列Ｃ２が文字サイズ「小」で印刷され、３行目の終端側文字列Ｃ３が文字サイズ「小」で印刷されるように、印刷データを生成する。これにより、図１２Ｂに示した第１ラベルＬ１が作成される。また、プリンター制御部３３は、ステップＳ４０の印刷実行指示が行われると、各文字列Ｃが、並び順の変更前に同じ文字列Ｃについて指定された文字サイズで印刷されるように、印刷データを生成する。すなわち、プリンター制御部３３は、１行目の終端側文字列Ｃ３が、並び順の変更前に同じ終端側文字列Ｃ３について指定された文字サイズ「小」で印刷され、２行目の中継文字列Ｃ２が、並び順の変更前に同じ中継文字列Ｃ２について指定された文字サイズ「小」で印刷され、３行目の始端側文字列Ｃ１が、並び順の変更前に同じ始端側文字列Ｃ１について指定された文字サイズ「大」で印刷されるように、印刷データを生成する。これにより、図１２Ｂに示した第１ラベルＬ１が作成される。
【００４３】
なお、プリンター制御部３３は、ステップＳ４０の印刷実行指示が行われると、並び順の変更後におけるｎ番目（ｎは１以上の整数）の行の文字列Ｃが、並び順の変更前におけるｎ番目の文字列Ｃについて指定された文字サイズで印刷されるように、印刷データを生成してもよい。すなわち、プリンター制御部３３は、ステップＳ４０の印刷実行指示が行われると、並び順の変更後における１行目の終端側文字列Ｃ３が、並び順の変更前における１行目の始端側文字列Ｃ１について指定された文字サイズ「大」となる印刷データを生成する。また、並び順の変更後における２行目の中継文字列Ｃ２が、並び順の変更前における２行目の中継文字列Ｃ２について指定された文字サイズ「小」となる印刷データを生成する。また、並び順の変更後における３行目の始端側文字列Ｃ１が、並び順の変更前における３行目の終端側文字列Ｃ３について指定された文字サイズ「小」となる印刷データを生成する。この場合、図１３に示した第１ラベルＬ１および第２ラベルＬ２が作成される。
【００４４】
なお、ここまでは、印刷データ生成装置およびテープ印刷装置の一実施形態として、ハンディプリンター１を例として説明したが、印刷データ生成装置およびテープ印刷装置は、ハンディプリンター１のようなハンドヘルド機である必要はなく、例えば、デスクトップ機でもよい。
【００４５】
（テープ印刷システム）
続いて、テープ印刷システムの一実施形態であるテープ印刷システムＳｙについて説明する。
図１４に示すように、テープ印刷システムＳｙは、データ生成装置の一例であるスマートデバイス２０１と、テープ印刷装置の一例であるテーププリンター３０１とを備えている。スマートデバイス２０１は、印刷データを生成し、生成した印刷データをテーププリンター３０１に送信する。テーププリンター３０１は、スマートデバイス２０１から送信された印刷データを受信し、受信した印刷データに基づいて、テープＴに印刷を行う。
【００４６】
スマートデバイス２０１には、テーププリンター３０１に対応したアプリケーションプログラムがインストールされている。スマートデバイス２０１は、タッチパネル２０３を備えている。タッチパネル２０３は、各種画面を表示すると共に、ユーザーからの各種操作を受け付ける。なお、タッチパネル２０３は、表示部の一例である。スマートデバイス２０１としては、例えば、スマートフォン、タブレット端末などを用いることができる。
【００４７】
テーププリンター３０１は、ハンディプリンター１とは異なり、デスクトップ機であり、また、ディスプレー２３および操作キー５を備えていない点を除き、ハンディプリンター１と同様に構成されている。テーププリンター３０１の各部位のうち、ハンディプリンター１の各部位に相当する部位には、同じ名称および符号を付し、詳細な説明を省略する。なお、テーププリンター３０１は、ハンディプリンター１と同様に、ハンドヘルド機でもよい。テーププリンター３０１は、ハンディプリンター１のように、ディスプレー２３および操作キー５を備えた構成でもよい。
【００４８】
図１５に基づいて、スマートデバイス２０１およびテーププリンター３０１の制御系について説明する。スマートデバイス２０１は、デバイス制御部２０５と、デバイス通信部２０７とを備えている。デバイス制御部２０５は、スマートデバイス２０１全体を統括的に制御する。デバイス制御部２０５は、図示省略したが、ＣＰＵと、ＲＡＭと、フラッシュメモリーとを備えている。ＣＰＵは、フラッシュメモリーに記憶されている、上記のアプリケーションプログラム等の各種プログラムを、ＲＡＭを用いて実行する。なお、デバイス制御部２０５は、制御部として機能するコンピューターの一例である。デバイス通信部２０７は、プリンター通信部４９との間で、各種コマンドや各種データを送受信する。
【００４９】
テーププリンター３０１は、プリンター制御部３３と、プリンター通信部４９とを備えている。プリンター制御部３３は、テーププリンター３０１全体を統括的に制御する。プリンター通信部４９は、デバイス通信部２０７との間で、各種コマンドや各種データを送受信する。
【００５０】
図１６に基づいて、テープ印刷システムＳｙにより作成されたラベルＬが用いられる鉄道用の電気信号設備の一例である、第２電気信号設備４０１について説明する。第２電気信号設備４０１は、中継接続部１０５を備えていない点を除き、上記の第１電気信号設備１０１と同様に構成されている。第２電気信号設備４０１の各部位のうち、第１電気信号設備１０１の各部位に相当する部位には、同じ名称及び符号を付し、詳細な説明を省略する。
【００５１】
始端側端子１１１と終端側端子１１５とは、中継端子１１３を介さずに、ケーブル１１７により直接接続されている。また、始端側接続部１０３には、「１−１」とのラック番号およびラック位置番号が振られ、終端側接続部１０７には、「２−３」とのラック番号およびラック位置番号が振られている。
【００５２】
図１７に示すように、第２電気信号設備４０１に用いられる第１ラベルＬ１および第２ラベルＬ２には、始端側文字列Ｃ１と終端側文字列Ｃ３とが、テープＴの長さ方向に並んで印刷されている。始端側文字列Ｃ１は、始端側接続部１０３のラック番号およびラック位置番号と、始端側端子１１１の端子番号とを表す。同様に、終端側文字列Ｃ３は、終端側接続部１０７のラック番号およびラック位置番号と、終端側端子１１５の端子番号とを表す。
【００５３】
ここで、第１ラベルＬ１では、１段落目に始端側文字列Ｃ１が印刷され、２段落目に終端側文字列Ｃ３が印刷されている。一方、第２ラベルＬ２では、１段落目に終端側文字列Ｃ３が印刷され、２段落目に始端側文字列Ｃ１が印刷されている。すなわち、第１ラベルＬ１と第２ラベルＬ２とでは、始端側文字列Ｃ１と終端側文字列Ｃ３との並び順が逆になっている。
【００５４】
図１８に基づいて、ユーザーがテープ印刷システムＳｙを用いて第１ラベルＬ１および第２ラベルＬ２を作成する操作手順ついて説明する。
【００５５】
ユーザーは、ステップＳ１１０において、テープＴに印刷する情報を入力する。すなわち、ユーザーは、図１９に示すように、タッチパネル２０３に端子入力画面Ｄ４が表示された状態で、例えばタッチパネル２０３に表示されたソフトウェアキーボードを操作して、所望の情報を入力する。端子入力画面Ｄ４には、第１入力欄４１および第２入力欄４３が表示されている。第１入力欄４１に入力された入力情報は、１段落目に印刷され、第２入力欄４３に入力された入力情報は、２段落目に印刷される。ユーザーは、第１入力欄４１に、始端側接続部１０３のラック番号およびラック位置番号と、始端側端子１１１の端子番号とを入力し、第２入力欄４３に、終端側接続部１０７のラック番号およびラック位置番号と、終端側端子１１５の端子番号とを入力する。これにより、端子入力画面Ｄ４の第１入力欄４１には、始端側接続部１０３のラック番号およびラック位置番号と、始端側端子１１１の端子番号とを表す始端側表示情報Ｇ１が表示される。同様に、端子入力画面Ｄ４の第２入力欄４３には、終端側接続部１０７のラック番号およびラック位置番号と、終端側端子１１５の端子番号とを表す終端側表示情報Ｇ３が表示される。
【００５６】
ユーザーは、ステップＳ１２０において、タッチパネル２０３に表示された印刷ボタン４５を操作して、印刷実行を指示する。デバイス制御部２０５は、端子入力画面Ｄ４において入力された入力情報に対応する２つの文字列Ｃ、すなわち始端側文字列Ｃ１および終端側文字列Ｃ３が、テープＴの長さ方向に並んで印刷されるように、印刷データを生成する。すなわち、デバイス制御部２０５は、１段落目に始端側文字列Ｃ１が印刷され、２段落目に終端側文字列Ｃ３が印刷されるように、印刷データを生成し、生成した印刷データをスマートデバイス２０１に送信する。テーププリンター３０１は、スマートデバイス２０１から受信した印刷データに基づいて、第１ラベルＬ１を作成する。
【００５７】
ユーザーは、ステップＳ１３０において、ディスプレー２３に端子入力画面Ｄ４が再び表示された状態で、端子入力画面Ｄ４に表示された並び順変更ボタン４７を操作する。並び順変更ボタン４７は、テープＴの長さ方向における複数の文字列Ｃの並び順が逆になるように、複数の文字列Ｃの段落を入れ替えるためのものである。すなわち、並び順変更ボタン４７は、並び順変更指示部の一例である。
【００５８】
並び順変更選択肢３９が選択されると、図２０に示すように、端子入力画面Ｄ４には、並び順変更ボタン４７の操作前とは異なる並び順で、複数の表示情報Ｇが表示される。すなわち、第１入力欄４１に終端側表示情報Ｇ３が表示され、第２入力欄４３に始端側表示情報Ｇ１が表示される。
【００５９】
ユーザーは、ステップＳ１４０において、印刷ボタン４５を操作して、印刷実行を指示する。デバイス制御部２０５は、並び順変更選択肢３９の選択前とは異なる並び順で、２つの文字列Ｃ、すなわち始端側文字列Ｃ１および終端側文字列Ｃ３がテープＴの長さ方向に並んで印刷されるように、印刷データを生成する。すなわち、デバイス制御部２０５は、１段落目に終端側文字列Ｃ３が印刷され、２段落目に始端側文字列Ｃ１が印刷されるように、印刷データを生成し、生成した印刷データをスマートデバイス２０１に送信する。テーププリンター３０１は、スマートデバイス２０１から受信した印刷データに基づいて、第２ラベルＬ２を作成する。なお、テープ印刷システムにおいても、第１ラベルＬ１および第２ラベルＬ２を、１回の印刷操作により、連続印刷する操作手順としてもよい。その場合、印刷ボタン４５とは別に、ペア印刷（Pair Print）ボタンを端子入力画面Ｄ４に設けてもよい。
【００６０】
なお、スマートデバイス２０１においても、ハンディプリンター１と同様に、複数の文字列Ｃの並び順の変更の前後において、文字サイズを指定可能な構成でもよい。
【００６１】
（その他の変形例）
テーププリンター３０１およびテープ印刷システムＳｙは、上記の実施形態に限定されず、その趣旨を逸脱しない範囲で種々の構成を採用可能であることは言うまでもない。例えば、上記の実施形態は、上述したほか、以下のような形態に変更することができる。
【００６２】
テープＴに印刷される文字列Ｃの数は、複数であればよい。すなわち、テープＴに印刷される文字列Ｃの数は、２または３に限定されず、４以上でもよい。
【００６３】
複数の文字列Ｃの並び順を変更する方式としては、並び順を逆にする方式に限定されず、以下の方式でもよい。例えば、複数の文字列Ｃの並び順を所望の数だけずらす方式、例えば、１行目の文字列Ｃを２行目に、２行目の文字列Ｃを３行目、最終行の文字列Ｃを１行目にずらす方式でもよい。また、複数の文字列Ｃを所望の規則に従って並び替える方式、例えば、アルファベット順に並び替える方式でもよい。また、複数の文字列Ｃの並び順をランダムに変更する方式でもよい。さらに、これらの方式のなかから、ユーザーが選択可能な構成としてもよい。
【００６４】
複数の文字列Ｃの並び順の変更を指示する並び順変更指示部としては、並び順変更選択肢３９や、並び順変更ボタン４７のように、ディスプレー２３やタッチパネル２０３に表示されたものに限定されず、例えば、テーププリンター３０１の操作キー５のうちの一つのキーや、スマートデバイス２０１の筐体に設けられた操作ボタンを、並び順変更指示部として機能させてもよい。
【００６５】
プリンター制御部３３は、第３変形例では、各文字列Ｃが、並び順の変更前に同じ文字列Ｃについて指定された文字サイズで印刷されるように、印刷データを生成し、第４変形例では、並び順の変更後におけるｎ番目の行の文字列Ｃが、並び順の変更前におけるｎ番目の文字列Ｃについて指定された文字サイズで印刷されるように、印刷データを生成したが、これらのなかから、ユーザーが選択可能な構成としてもよい。
【００６６】
ハンディプリンター１およびスマートデバイス２０１は、ユーザーの操作に基づいて、文字列Ｃごとに、文字サイズのほか、例えば、（１）フォント、（２）斜体や太字等の装飾、（３）前揃え、中揃え、後揃え等の割付け、などの属性を指定可能な構成でもよい。すなわち、文字列Ｃの属性とは、文字サイズ、フォント、装飾、割付けなどを含む概念である。ハンディプリンター１およびスマートデバイス２０１は、印刷データに含まれるこれら文字列Ｃの属性を、編集するための編集機能を備えている。
【００６７】
複数の文字列Ｃが並ぶ方向は、テープＴの幅方向やテープＴの長さ方向に限定されず、例えば、テープＴの幅方向に対して斜めに交わる方向でもよい。すなわち、テープＴの第１方向とは、テープＴの幅方向、テープＴの長さ方向、およびテープＴの幅方向に対して斜めに交わる方向を含む概念である。
【００６８】
テーププリンター３０１およびテープ印刷システムＳｙは、複数の文字列Ｃの並び順変更機能を、連番印刷機能と併用してもよい。例えば、テーププリンター３０１およびテープ印刷システムＳｙは、１行目の入力情報として「Ａ１」が入力され、２行目の入力情報として「Ｂ３」が入力された場合、連番印刷機能により、１行目に「Ａ１」、２行目に「Ｂ３」との文字列Ｃが印刷されたラベルＬと、１行目に「Ａ２」、２行目に「Ｂ２」との文字列Ｃが印刷されたラベルＬと、１行目に「Ａ３」、２行目に「Ｂ１」との文字列Ｃが印刷されたラベルＬとを作成する。続いて、テーププリンター３０１およびテープ印刷システムＳｙは、並び順変更機能により複数の文字列Ｃの並び順を変更した後、連番印刷機能により、１行目に「Ｂ３」、２行目に「Ａ１」との文字列Ｃが印刷されたラベルＬと、１行目に「Ｂ２」、２行目に「Ａ２」との文字列Ｃが印刷されたラベルＬと、１行目に「Ｂ１」、２行目に「Ａ３」との文字列Ｃが印刷されたラベルＬとを作成する。
【００６９】
テープＴに複数の段落が設けられ、少なくとも一の段落内に複数行の文字列Ｃが含まれる場合は、行の並び順を変更するか、段落の並び順を変更するかを、ユーザーが選択可能な構成としてもよい。ここで、行の並び順を変更する場合には、全段落で行の並び順を変更するか、カーソル位置の段落のみで行の並び順を変更するかを、ユーザーが選択可能な構成としてもよい。また、段落の並び順を変更する場合には、各段落における行の並び順を維持したまま、段落の並び順を変更することが好ましい。
【００７０】
ハンディプリンター１は、第１電気信号設備１０１に用いられる第１ラベルＬ１および第２ラベルＬ２だけでなく、第２電気信号設備４０１に用いられる第１ラベルＬ１および第２ラベルＬ２を作成してもよい。同様に、テープ印刷システムＳｙは、第２電気信号設備４０１に用いられる第１ラベルＬ１および第２ラベルＬ２だけでなく、第１電気信号設備１０１に用いられる第１ラベルＬ１および第２ラベルＬ２を作成してもよい。さらに、ハンディプリンター１およびテープ印刷システムＳｙが作成するラベルＬは、第１電気信号設備１０１や第２電気信号設備４０１などの電気信号設備に用いられるものに限定されず、パッチパネルなど、電気信号設備以外の電気設備に用いられるものでもよく、その他の用途に用いられるものでもよい。また、文字列Ｃが表す内容についても、特に限定されるものではない。
【００７１】
印刷部は、サーマルヘッド２５に限定されず、インクジェット方式、電子写真方式などの印刷方式によるものでもよい。
【００７２】
テープ印刷システムＳｙを構成する印刷データ生成装置は、スマートデバイス２０１に限定されず、例えば、パソコンでもよい。
【００７３】
アプリケーションプログラムを、コンピューターで読取り可能な記録媒体（ＣＤ−ＲＯＭ、フラッシュメモリー等）に格納して提供してもよい。
【００７４】
上記した実施形態や変形例を、それぞれ組み合わせた構成でもよい。
【００７５】
（付記）
以下、印刷データ生成装置、印刷データ生成装置の印刷データ生成方法、プログラム、テープ印刷装置およびテープ印刷システムについて付記する。
【００７６】
印刷データ生成装置は、テープに対してテープの第１方向に並んで印刷される複数の文字列の並び順の変更を指示する並び順変更指示部が操作されたときに、並び順変更指示部の操作前とは異なる並び順で複数の文字列が第１方向に並んで印刷されるように、印刷データを生成する制御部、を備えた。
【００７７】
印刷データ生成装置の印刷データ生成方法は、テープに対してテープの第１方向に並んで印刷される複数の文字列の並び順の変更を指示する並び順変更指示部が操作されたときに、並び順変更指示部の操作前とは異なる並び順で複数の文字列が第１方向に並んで印刷されるように、印刷データを生成する。
【００７８】
プログラムは、印刷データ生成装置が備えるコンピューターを、テープに対してテープの第１方向に並んで印刷される複数の文字列の並び順の変更を指示する並び順変更指示部が操作されたときに、並び順変更指示部の操作前とは異なる並び順で複数の文字列が第１方向に並んで印刷されるように、印刷データを生成する制御部として機能させる。
【００７９】
この構成によれば、並び順変更指示部を操作するという簡易な操作により、複数の文字列の並び順を変更することができる。
【００８０】
制御部は、並び順変更指示部が操作されたときに、第１方向における複数の文字列の並び順を、並び順変更指示部の操作前と逆転させた印刷データを生成することが好ましい。
【００８１】
この構成によれば、並び順変更指示部を操作するという簡易な操作により、複数の文字列の並び順を逆転させることができる。
【００８２】
制御部は、並び順変更指示部の操作後、ユーザーの操作に基づいて文字列の属性が指定されたときに、指定後の属性で文字列が印刷されるように、印刷データを生成することが好ましい。
【００８３】
この構成によれば、並び順変更指示部の操作後に、文字列の属性を指定することができる。
【００８４】
制御部は、ユーザーの操作に基づいて文字列の属性が指定された後、並び順変更指示部が操作されたときに、文字列が、同じ文字列について並び順の変更前に指定された属性で印刷されるように、印刷データを生成することが好ましい。
【００８５】
この構成によれば、複数の文字列の並び順の変更後においても、並び順の変更前に同じ文字列について指定された属性で文字列が印刷されるように、印刷データを生成することができる。
【００８６】
制御部は、ユーザーの操作に基づいて文字列の属性が指定された後、並び順変更指示部が操作されたときに、並び順の変更後におけるｎ番目（ｎは１以上の整数）の文字列が、並び順の変更前におけるｎ番目の文字列について指定された属性で印刷されるように、印刷データを生成することが好ましい。
【００８７】
この構成によれば、複数の文字列の並び順の変更後においても、並び順の変更前にｎ番目だった文字列について指定された属性でｎ番目の文字列が印刷されるように、印刷データを生成することができる。
【００８８】
制御部は、ユーザーの操作に基づいて、並び順変更指示部を表示部に表示させることが好ましい。
【００８９】
この構成によれば、表示部とは別に並び順変更指示部を備える必要がなく、装置構成を簡素化することができる。
【００９０】
第１方向は、テープの幅方向であることが好ましい。
【００９１】
この構成によれば、テープの幅方向における複数の文字列の並び順を変更することができる。
【００９２】
第１方向は、テープの長さ方向であることが好ましい。
【００９３】
この構成によれば、テープの長さ方向における複数の文字列の並び順を変更することができる。
【００９４】
制御部は、電気設備に用いられる配線の一方の端部に設けられる第１ラベルを印刷するための印刷データを、並び順変更指示部の操作前に生成し、配線の他方の端部に設けられる第２ラベルを印刷するための印刷データを、並び順変更指示部の操作後に生成することが好ましい。
【００９５】
この構成によれば、電気設備に用いられる第１ラベルおよび第２ラベルを、簡易な操作で作成することができる。
【００９６】
電気設備は、鉄道用の電気信号設備であることが好ましい。
【００９７】
この構成によれば、鉄道用の電気信号設備に用いられる第１ラベルおよび第２ラベルを、簡易な操作で作成することができる。
【００９８】
テープ印刷装置は、テープに対してテープの第１方向に並んで印刷される複数の文字列の並び順の変更を指示する並び順変更指示部が操作されたときに、並び順変更指示部の操作前とは異なる並び順で複数の文字列が第１方向に並んで印刷されるように、印刷データを生成する制御部と、印刷データに基づいて、テープに印刷を行う印刷部と、を備えた。
【００９９】
テープ印刷システムは、テープに対してテープの第１方向に並んで印刷される複数の文字列の並び順の変更を指示する並び順変更指示部が操作されたときに、並び順変更指示部の操作前とは異なる並び順で複数の文字列が第１方向に並んで印刷されるように、印刷データを生成する制御部、を有する印刷データ生成装置と、印刷データに基づいて、テープに印刷を行う印刷部、を有するテープ印刷装置と、を備えた。
【０１００】
この構成によれば、並び順変更指示部を操作するという簡易な操作により、複数の文字列の並び順が変更されたラベルを作成することができる。
【符号の説明】
【０１０１】
１…ハンディプリンター、１３…編集キー、１５…カーソルキー、１７…決定キー、２３…ディスプレー、３３…プリンター制御部、３７…文字サイズ選択肢、３９…並び順変更選択肢、４７…並び順変更ボタン、１０１…第１電気信号設備、１０３…始端側接続部、１０７…終端側接続部、２０１…スマートデバイス、２０３…タッチパネル、２０５…デバイス制御部、３０１…テーププリンター、４０１…第２電気信号設備、Ｃ…文字列、Ｃ１…始端側文字列、Ｃ２…中継文字列、Ｃ３…終端側文字列、Ｌ…ラベル、Ｌ１…第１ラベル、Ｌ２…第２ラベル、Ｓｙ…テープ印刷システム、Ｔ…テープ。
【図１】
2020047167.tif 000003
【図２】
2020047167.tif 000004
【図３】
2020047167.tif 000005
【図４】
2020047167.tif 000006
【図５】
2020047167.tif 000007
【図６】
2020047167.tif 000008
【図７】
2020047167.tif 000009
【図８】
2020047167.tif 000010
【図９Ａ】
2020047167.tif 000011
【図９Ｂ】
2020047167.tif 000012
【図１０】
2020047167.tif 000013
【図１１Ａ】
2020047167.tif 000014
【図１１Ｂ】
2020047167.tif 000015
【図１２Ａ】
2020047167.tif 000016
【図１２Ｂ】
2020047167.tif 000017
【図１３】
2020047167.tif 000018
【図１４】
2020047167.tif 000019
【図１５】
2020047167.tif 000020
【図１６】
2020047167.tif 000021
【図１７】
2020047167.tif 000022
【図１８】
2020047167.tif 000023
【図１９】
2020047167.tif 000024
【図２０】
2020047167.tif 000025